(57)【特許請求の範囲】
【請求項１】
馬番を特定するための基礎データを保持している基礎データ保存装置と、
着順表示盤に通過順位を表示させる制御を行う着順制御装置と、
通過順位の確定を支援する通過順位確定支援装置と、
を備え、
前記通過順位確定支援装置は、
レース状況を撮影する撮像部と、
前記基礎データ保存装置から取得された前記基礎データを格納しておくデータ記憶部と、
前記撮像部が撮影した映像を前記データ記憶部に格納された前記基礎データを基に解析して前記通過順位のデータを算出する映像解析部と、
前記映像と前記映像解析部により算出された前記通過順位のデータとを表示する表示部と、
算出された前記通過順位のデータを前記着順制御装置へ送信するための指示を行う表示指示スイッチと、
を有し、
前記基礎データは、競走馬に個体識別のために付けられる馬番、騎手が装着する帽子の帽子色、競走馬の体毛や肌の色を指す毛色、および、馬主を識別することができる勝負服の柄または色を含んでおり、
前記映像解析部は、前記映像と前記基礎データとの比較による判定から、前記馬番、前記帽子色、前記毛色および前記勝負服のうち３項目以上認識されたとき、算出した前記通過順位のデータを前記表示部に表示することを特徴とする通過順位入力システム。
【請求項２】
前記通過順位確定支援装置の前記撮像部、前記表示部、および前記表示指示スイッチを双眼鏡に適用したことを特徴とする請求項１記載の通過順位入力システム。
【請求項３】
前記通過順位確定支援装置は、前記映像解析部による画像認識の開始または終了を指示する画像認識スイッチをさらに備えていることを特徴とする請求項１記載の通過順位入力システム。
【請求項４】
コンピュータが、
基礎データ保存装置から馬番を特定するための基礎データである競走馬に個体識別のために付けられる馬番、騎手が装着する帽子の帽子色、競走馬の体毛や肌の色を指す毛色、および、馬主を識別することができる勝負服の柄または色を含むデータを取得し、
前記基礎データを基に撮像部が撮影した映像を解析して前記映像と前記基礎データとの比較による判定から、前記馬番、前記帽子色、前記毛色および前記勝負服のうち３項目以上認識されたときの通過順位のデータを算出し、
表示部に前記撮像部が撮影した前記映像と算出された前記通過順位のデータとを表示させ、
表示指示スイッチの押下に応答して算出された前記通過順位のデータを着順制御装置へ送信する、
ことを特徴とする通過順位入力方法。
【請求項５】
レース状況を撮影する撮像部と、
馬番を特定するための基礎データを格納しておくデータ記憶部と、
前記データ記憶部に格納された前記基礎データを基に前記撮像部が撮影した映像を解析して通過順位のデータを算出する映像解析部と、
前記映像と前記映像解析部により算出された前記通過順位のデータとを表示する表示部と、
算出された前記通過順位のデータを着順制御装置へ送信するための指示を行う表示指示スイッチと、
を有し、
前記基礎データは、競走馬に個体識別のために付けられる馬番、騎手が装着する帽子の帽子色、競走馬の体毛や肌の色を指す毛色、および、馬主を識別することができる勝負服の柄または色を含んでおり、
前記映像解析部は、前記映像と前記基礎データとの比較による判定から、前記馬番、前記帽子色、前記毛色および前記勝負服のうち３項目以上認識されたとき、算出した前記通過順位のデータを前記表示部に表示することを特徴とする通過順位確定支援装置。
【発明の詳細な説明】
【技術分野】
【０００１】
本発明は通過順位入力システム、通過順位入力方法および通過順位確定支援装置に関し、特に競馬場などに設置される着順表示盤にレース中の上位３位までの馬に関する途中経過情報を表示させるための通過順位入力システム、通過順位入力方法および通過順位確定支援装置に関する。
【背景技術】
【０００２】
競馬場においては、来場してきたファンに対してレースに関する各種情報を表示する着順表示盤が備えられ、この着順表示盤には、レース終了後に審判員による審議が行われ、確定されたレース結果を表示している（たとえば、特許文献１参照）。この着順表示盤は、また、レース中においては、通過順位を表示するのにも使用されている。
【０００３】
通過順位は、審判員がレース状況を双眼鏡で確認しながら、通過順位操作卓を操作することによって着順表示盤に表示される。すなわち、審判員が双眼鏡でレース中の競走馬の馬番を視認し、上位３位までの馬番を記憶し、記憶した馬番の番号を通過順位操作卓で入力することにより、その入力された番号が着順表示盤の１着から３着までの馬番を表示する位置に通過順位として表示される。レース中に通過順位が変化すると、審判員は、順位の変更のあった馬番の番号を通過順位操作卓に入力して通過順位を更新する。
【０００４】
ここで、通過順位の表示は、レース中にその順位をリアルタイムにファンに通知するものであるため、審判員が視認により認識した順位を通過順位操作卓に入力すると、確認用のモニタなどで確認したりすることなく、即時に着順表示盤に表示される。
【先行技術文献】
【特許文献】
【０００５】
【特許文献１】特開２００６−１１５８７９号公報
【発明の概要】
【発明が解決しようとする課題】
【０００６】
従来の通過順位入力システムでは、審判員が認識した順位を通過順位操作卓に入力すると、入力した順位を確認することなく着順表示盤に表示されるので、誤入力の可能性が高く、誤入力の場合は、誤った情報が着順表示盤に表示されてしまうという問題点があった。
【０００７】
本発明はこのような点に鑑みてなされたものであり、誤入力の可能性を低減した通過順位入力システム、通過順位入力方法および通過順位確定支援装置を提供することを目的とする。
【課題を解決するための手段】
【０００８】
本発明では上記の課題を解決するために、馬番を特定するための基礎データを保持している基礎データ保存装置と、着順表示盤に通過順位を表示させる制御を行う着順制御装置と、通過順位の確定を支援する通過順位確定支援装置と、を備え、前記通過順位確定支援装置は、レース状況を撮影する撮像部と、前記基礎データ保存装置から取得された前記基礎データを格納しておくデータ記憶部と、前記撮像部が撮影した映像を前記データ記憶部に格納された前記基礎データを基に解析して前記通過順位のデータを算出する映像解析部と、前記映像と前記映像解析部により算出された前記通過順位のデータとを表示する表示部と、算出された前記通過順位のデータを前記着順制御装置へ送信するための指示を行う表示指示スイッチと、を有し、前記基礎データは、競走馬に個体識別のために付けられる馬番、騎手が装着する帽子の帽子色、競走馬の体毛や肌の色を指す毛色、および、馬主を識別することができる勝負服の柄または色を含んでおり、前記映像解析部は、前記映像と前記基礎データとの比較による判定から、前記馬番、前記帽子色、前記毛色および前記勝負服のうち３項目以上認識されたとき、算出した前記通過順位のデータを前記表示部に表示することを特徴とする通過順位入力システムが提供される。
【０００９】
また、本発明では、コンピュータが、基礎データ保存装置から馬番を特定するための基礎データである競走馬に個体識別のために付けられる馬番、騎手が装着する帽子の帽子色、競走馬の体毛や肌の色を指す毛色、および、馬主を識別することができる勝負服の柄または色を含むデータを取得し、前記基礎データを基に撮像部が撮影した映像を解析して前記映像と前記基礎データとの比較による判定から、前記馬番、前記帽子色、前記毛色および前記勝負服のうち３項目以上認識されたときの通過順位のデータを算出し、表示部に前記撮像部が撮影した前記映像と算出された前記通過順位のデータとを表示させ、表示指示スイッチの押下に応答して算出された前記通過順位のデータを着順制御装置へ送信する、ことを特徴とする通過順位入力方法が提供される。
【００１０】
さらに、本発明では、レース状況を撮影する撮像部と、馬番を特定するための基礎データを格納しておくデータ記憶部と、前記データ記憶部に格納された前記基礎データを基に前記撮像部が撮影した映像を解析して通過順位のデータを算出する映像解析部と、前記映像と前記映像解析部により算出された前記通過順位のデータとを表示する表示部と、算出された前記通過順位のデータを着順制御装置へ送信するための指示を行う表示指示スイッチと、を有し、前記基礎データは、競走馬に個体識別のために付けられる馬番、騎手が装着する帽子の帽子色、競走馬の体毛や肌の色を指す毛色、および、馬主を識別することができる勝負服の柄または色を含んでおり、前記映像解析部は、前記映像と前記基礎データとの比較による判定から、前記馬番、前記帽子色、前記毛色および前記勝負服のうち３項目以上認識されたとき、算出した前記通過順位のデータを前記表示部に表示することを特徴とする通過順位確定支援装置が提供される。
【００１１】
このような通過順位入力システム、通過順位入力方法および通過順位確定支援装置によれば、表示部にレース状況と映像解析結果による通過順位とが表示され、表示指示スイッチによって映像解析結果による通過順位のデータを着順制御装置へ送信する。これにより、通過順位操作卓によって通過順位を入力する場合に比較して、表示指示スイッチによる１回の操作で済み、しかも、送信するデータは、審判員が入力したものではないので、誤入力の可能性を大幅に低減している。
【発明の効果】
【００１２】
上記構成の通過順位入力システム、通過順位入力方法および通過順位確定支援装置は、審判員が、撮像部で撮影した映像とその映像を映像解析部が解析して得た通過順位とを表示部で見て、自分で認識した通過順位と映像解析部の解析結果とが一致していると判断したときだけ、解析結果を着順制御装置へ送信するので、通過順位の誤入力を低減できるという利点がある。
【図面の簡単な説明】
【００１３】
【図１】本発明の実施の形態に係る通過順位入力システムを示す構成図である。
【図２】通過順位入力システムの具体的な構成を示す機能ブロック図である。
【図３】上位サーバが保持する画像認識用データテーブルのデータ構造の例を示す図である。
【図４】上位サーバが保持する勝負服認識用データテーブルのデータ構造の例を示す図である。
【図５】着順表示盤に通過順位を表示した例を示す図である。
【図６】通過順位操作卓の外観の例およびモニタの表示例を示す図である。
【図７】馬番データテーブルの構成例を示す図である。
【図８】通過順位確定支援装置のハードウェア構成例を示す図である。
【図９】通過順位確定支援装置の機構的な構成例を示す図である。
【図１０】通過順位確定支援装置の表示部の表示例を示す図である。
【図１１】通過順位確定支援装置におけるプロセッサの処理の流れを示すフローチャートである。
【発明を実施するための形態】
【００１４】
以下、本発明の実施の形態について、図面を参照して詳細に説明する。
図１は本発明の実施の形態に係る通過順位入力システムを示す構成図である。
通過順位入力システムは、レースの基本データを管理する上位サーバ（基礎データ保存装置）１と、着順表示の制御を行う着順制御装置２と、通過順位を入力する通過順位操作卓３と、通過順位を画像解析にて求める通過順位確定支援装置４とを備えている。
【００１５】
上位サーバ１は、図示の例では、着順制御装置２と直接接続されている。着順制御装置２は、ＤＶＩ（Digital Visual Interface）規格の画像出力を有しており、その画像出力は、着順表示盤５に接続されている。着順制御装置２は、また、図示の例では、ＬＡＮ（Local Area Network）を介して通過順位操作卓３と、レース会場に設置される大型の映像ディスプレイ装置であるターフビジョン６とに接続されている。通過順位操作卓３は、入力した順位を確認するためのモニタ７と、通過順位確定支援装置４とに接続されている。通過順位確定支援装置４は、レース状況を撮影する機能、撮影した映像を解析して通過順位を算出する機能、算出された通過順位を表示する機能、および審判員が確定した通過順位の情報を着順表示盤５に送信する機能を有している。これらの機能により、通過順位確定支援装置４は、審判員がレース状況を見ながら判断した通過順位と、映像を解析して算出された通過順位とが一致する場合にその通過順位の情報を通過順位操作卓３に送信する。
【００１６】
図２は通過順位入力システムの具体的な構成を示す機能ブロック図、図３は上位サーバが保持する画像認識用データテーブルのデータ構造の例を示す図、図４は上位サーバが保持する勝負服認識用データテーブルのデータ構造の例を示す図である。
【００１７】
上位サーバ１は、データ記憶部１１を備えており、このデータ記憶部１１では、図３に示す画像認識用データテーブル１２および図４に示す勝負服認識用データテーブル１３を保持している。
【００１８】
画像認識用データテーブル１２は、「馬番」、「枠番」、「帽子色」、「毛色」および「馬主」といった馬番を特定するための基礎データを管理しており、それぞれのデータは、レースが開始される前にあらかじめ登録されている。なお、「馬番」は、各競走馬が個体識別のために付けるゼッケンの番号である。「枠番」は、出走数全体を最大で８つの枠で分けた時に各競走馬に振り分けられる番号であり、「帽子色」は、騎手が装着する帽子の色であって、枠番に対応した色が割り当てられる。「毛色」は、競走馬の体毛や肌の色を指している。そして、「馬主」は、競走馬を所有している人、法人などを指している。
【００１９】
勝負服認識用データテーブル１３は、騎手が着用している勝負服と呼ばれる服の柄のデータを管理しており、その服の柄は、競走馬を所有している馬主によって決められている。この勝負服認識用データテーブル１３では、馬主ごとに、勝負服の胴の柄および袖の柄を登録しており、これも馬番を特定するための基礎データの一つである。勝負服は、胴および袖の柄だけではなく、地の色および柄の色も一緒に決められるので、必要に応じて勝負服認識用データテーブル１３に色のデータも登録しておき、映像解析に使用するとよい。なお、本実施の形態では、上位サーバ１で画像認識用データテーブル１２や勝負服認識用データテーブル１３等の馬番を特定するための基礎データを保持するようにしているが、一例であり、これに限らず、データ保持部は他の機器内であってもよい。
【００２０】
図５は着順表示盤に通過順位を表示した例を示す図である。
着順制御装置２は、図２に示したように、上位サーバ１および通過順位操作卓３との間でデータの授受を行うデータ送受信部２１と、通過順位操作卓３から受信した通過順位のデータを基に着順表示盤５に表示する画像を生成する画像出力部２２とを備えている。画像出力部２２は、着順表示盤５に接続されていて、生成した画像を着順表示盤５に表示させる。
【００２１】
着順表示盤５は、レース結果の着順を表示する画像を利用してレース途中の通過順位を表示する。その着順表示盤５は、図５に示したように、たとえば、１着から５着までの着順を表示する表示領域５ａ〜５ｅを有し、その中の、１着から３着までの着順を表示する表示領域５ａ〜５ｃに、通過順位で１位、２位、３位となった競走馬の馬番を表示することになる。
【００２２】
図６は通過順位操作卓の外観の例およびモニタの表示例を示す図である。
通過順位操作卓３は、図２に示したように、着順制御装置２および通過順位確定支援装置４との間でデータの授受を行うデータ送受信部３１と、操作入力の受け付けを行う入力受付部３２と、受け付けた入力の情報を出力する表示出力部３３とを備えている。入力受付部３２には、オールクリアボタン３４、馬番入力部３５および通過順位選択ボタン３６が接続され、表示出力部３３には、通過順位表示部３７およびモニタ７が接続されている。
【００２３】
通過順位操作卓３は、主として、通過順位を手動で入力または訂正するときに使用されるもので、図６に示したように、その表面に、オールクリアボタン３４、馬番入力部３５、通過順位選択ボタン３６および通過順位表示部３７を備えている。
【００２４】
通過順位操作卓３で通過順位を入力するときは、通過順位選択ボタン３６の１位から３位まであるボタンのうち、入力したい順位のボタンを押下し、テンキーからなる馬番入力部３５によって馬番を入力する。他の順位の馬番を入力するときには、同じように、通過順位選択ボタン３６で順位を指定して馬番入力部３５で馬番を入力する。入力された馬番は、通過順位選択ボタン３６の隣に配置された通過順位表示部３７に表示される。また、通過順位を訂正するときも、馬番入力部３５のクリアボタン「Ｃ」を押下した後、通過順位の入力と同じ操作で行われる。
【００２５】
オールクリアボタン３４は、通過順位表示部３７に表示されている１位から３位までの通過順位のすべてを消去するときに使用される。通過順位操作卓３は、さらに、ランプ部３８を有している。このランプ部３８は、電源投入時に点灯する「電源」、操作可能時に点灯する「操作可」、通過順位操作卓有効時に点灯する「有効」および通過順位操作卓無効時に点灯する「無効」のランプを有している。
【００２６】
この通過順位操作卓３によって入力された通過順位は、図６に示したように、モニタ７にも同時に表示される。このモニタ７においても、着順表示盤５と同様、１着から５着までの着順を表示する表示領域７ａ〜７ｅを有しており、その中の、１着から３着までの着順を表示する表示領域７ａ〜７ｃに、通過順位で１位、２位、３位となった競走馬の馬番が表示される。
【００２７】
図７は馬番データテーブルの構成例を示す図、図８は通過順位確定支援装置のハードウェア構成例を示す図、図９は通過順位確定支援装置の機構的な構成例を示す図、図１０は通過順位確定支援装置の表示部の表示例を示す図である。
【００２８】
通過順位確定支援装置４は、図２に示したように、通過順位操作卓３との間でデータの授受を行うデータ送受信部４１と、解析された通過順位データの出力を指示する表示指示スイッチ４３と、画像認識を開始または終了させる画像認識スイッチ４４とを備えている。
【００２９】
通過順位確定支援装置４は、また、データ送受信部４１に接続されたデータ記憶部４５、レース状況を撮影する撮像部４６、撮影されたライブ映像を解析する映像解析部４７、および撮影されたライブ映像と解析したデータとを表示する表示部４８を備えている。データ記憶部４５は、上位サーバ１から取得した画像認識用データテーブル１２および勝負服認識用データテーブル１３のデータと、映像解析部４７にて解析された通過順位の馬番データとを格納する。馬番データについては、図７に示したように、通過順位が１位から３位までのデータを保持できる馬番データテーブル４５ａに格納される。
【００３０】
撮像部４６は、たとえば、ＣＣＤ（Charge Coupled Device）のような固体撮像素子とすることができる。映像解析部４７は、画像認識スイッチ４４が接続されていて、押下の度に画像認識の開始または画像認識の終了が指示される。画像認識の開始が指示されると、映像解析部４７は、データ記憶部４５に格納された画像認識用データテーブル１２および勝負服認識用データテーブル１３のデータを基に、撮像部４６が撮影したライブ映像を解析して通過順位を算出する。算出された通過順位のデータは、データ記憶部４５の馬番データテーブル４５ａに格納され、表示部４８に表示される。表示部４８は、たとえば、液晶表示パネルとすることができる。
【００３１】
通過順位確定支援装置４において、データ送受信部４１、データ記憶部４５および映像解析部４７は、図８に示したようなプロセッサ４９によって構成される。このプロセッサ４９は、専用のＤＳＰ（Digital Signal Processor）によって構成することができ、またはパーソナルコンピュータを使用して構成することができる。
【００３２】
プロセッサ４９では、ＣＰＵ（Central Processing Unit）５０によって通過順位確定支援装置４の全体が制御されている。ＣＰＵ５０には、バス５６を介してメインメモリ５１、フラッシュメモリ５２、グラフィック処理装置５３、入力インタフェース５４、および通信インタフェース５５が接続されている。
【００３３】
メインメモリ５１には、ＣＰＵ５０に実行させるＯＳ（Operating System）のプログラムやアプリケーションプログラムの少なくとも一部が一時的に格納される。また、メインメモリ５１には、ＣＰＵ５０による処理に必要な各種データも格納される。フラッシュメモリ５２には、ＯＳのプログラムや通過順位確定のためのアプリケーションプログラムが格納される。
【００３４】
グラフィック処理装置５３には、表示部４８が接続されている。グラフィック処理装置５３は、ＣＰＵ５０からの命令に従って、映像および画像を表示部４８の画面に表示させる。入力インタフェース５４には、表示指示スイッチ４３、画像認識スイッチ４４および撮像部４６が接続されている。入力インタフェース５４は、表示指示スイッチ４３、画像認識スイッチ４４および撮像部４６から送られてくる信号をバス５６を介してＣＰＵ５０に送信する。
【００３５】
通信インタフェース５５は、有線ケーブルまたは無線ＬＡＮによって通過順位操作卓３に接続される。通信インタフェース５５は、通過順位操作卓３を介して着順制御装置２との間でデータの授受を行い、さらには、着順制御装置２を介して上位サーバ１との間でデータの授受を行う。
【００３６】
以上のようなハードウェア構成によって、本実施の形態の通過順位確定支援装置４における処理機能を実現することができる。
通過順位確定支援装置４は、その機構的な構成としては、図９に示すように、双眼鏡６０に適用して構成することができる。この双眼鏡６０は、筒状筐体６１の軸線上に対物レンズ６２、撮像部４６、表示部４８および接眼レンズ６３が配置されている。この実施の形態では、被写体を覗く位置に表示部４８を配置して電子ビューファインダとし、撮像部４６が撮影した被写体の像と、映像解析部４７が解析した通過順位の馬番データとを表示部４８に表示させるようにしている。ファインダを電子ビューファインダとしたことで、対物レンズ６２にて反転された像を正立像にするプリズムなどが不要になり、双眼鏡６０をシンプルな構成にすることができる。
【００３７】
双眼鏡６０は、また、たとえば、２つの筒状筐体６１の間の位置に、表示指示スイッチ４３および画像認識スイッチ４４を備えている。表示指示スイッチ４３は、解析された馬番を着順表示盤５に表示させるときに使用され、画像認識スイッチ４４は、映像解析部４７による馬番の解析を開始および終了するのに使用される。
【００３８】
双眼鏡６０は、さらに、プロセッサ４９を備えている。プロセッサ４９は、双眼鏡６０の適当な部位に内蔵されている。しかし、双眼鏡６０にプロセッサ４９を内蔵するスペースがない場合には、プロセッサ４９は、双眼鏡６０に外付けされる形態で備えられてもよい。
【００３９】
表示部４８は、撮像部４６が撮影した映像がリアルタイムに表示される。表示部４８は、また、図１０に示したように、その映像に１位から３位までの通過順位の馬番がスーパーインポーズされている。図示の例では、２つの通過順位表示領域４８ａ，４８ｂが設定されていて、上段の通過順位表示領域４８ａには、着順表示盤５に出力されている通過順位が表示され、下段の通過順位表示領域４８ｂには、映像解析部４７が解析した結果の通過順位が表示されている。
【００４０】
以上の構成の通過順位確定支援装置４によれば、レース開始後に、審判員が双眼鏡６０でレースの状況を見ながら、画像認識スイッチ４４を押下すると、画像認識処理が行われ、表示部４８の通過順位表示領域４８ｂに１位から３位までの馬番が表示される。審判員は、レース状況から認識した１位から３位までの馬番と、画像認識処理による１位から３位までの馬番とが一致したと判断した場合、表示指示スイッチ４３を押下する。すると、解析された馬番のデータは、着順表示盤５に送信されて表示される。
【００４１】
画像認識処理は、繰り返し行われているので、表示部４８の通過順位表示領域４８ｂは、通過順位に変化があると、通過順位の表示が更新される。通過順位が変化したと審判員が認識したとき、審判員は、画像認識処理による１位から３位までの馬番を確認して同一と判断したとき、表示指示スイッチ４３を押下する。その後、馬番のデータは、着順表示盤５に送信されて更新される。
【００４２】
そして、１位通過の馬がコースのたとえば最終コーナーに差し掛かったとき、審判員が画像認識スイッチ４４を押下すると、データ送受信部４１は、通過順位操作卓３のオールクリアボタン３４を押下したときと同様の信号を生成する。このオールクリアの信号がデータ送受信部４１から通過順位操作卓３を介して着順表示盤５に送信されると、着順表示盤５は、通過順位の表示をすべて消去する。
【００４３】
以上のように、審判員は、レース中に通過順位を入力するとき、目線を外して通過順位操作卓３を操作する必要がなく、表示部４８の画面から認識した結果と画像処理結果とを比較して表示指示スイッチ４３を押下するだけでよい。このため、審判員が通過順位操作卓３を誤って操作してしまうことによる通過順位の誤入力がなくなる。また、通過順位の確定では、審判員による主観的な認識に画像処理による客観的な認識の支援が加わることで、着順制御装置２への通過順位の誤入力を大幅に低減することができる。
【００４４】
図１１は通過順位確定支援装置におけるプロセッサの処理の流れを示すフローチャートである。
レースが開始してプロセッサ４９の通過順位確定処理がスタートすると、ＣＰＵ５０は、画像認識スイッチ４４の押下を監視して画像認識処理がスタートしたかどうかを判断する（ステップＳ１）。画像認識処理がスタートすると、ＣＰＵ５０は、まず、初期設定を行う（ステップＳ２）。初期設定としては、映像から切り出して画像処理を行う数であるｎに１を代入し、上位サーバ１のデータ記憶部１１から画像認識用データテーブル１２および勝負服認識用データテーブル１３のデータを取得してメインメモリ５１のデータ記憶部４５へ格納する。
【００４５】
次に、ＣＰＵ５０は、撮像部４６が撮影した映像からｎ位の画像を切り出す（ステップＳ３）。次に、ＣＰＵ５０は、切り出した画像と画像認識用データテーブル１２のデータとから、ゼッケンの判定（ステップＳ４）と、帽子色の判定（ステップＳ５）と、毛色の判定（ステップＳ６）とを行う。次に、ＣＰＵ５０は、切り出した画像と勝負服認識用データテーブル１３のデータとから、勝負服の判定を行う（ステップＳ７）。
【００４６】
次に、ＣＰＵ５０は、上記した４つの判定の結果、３項目以上認識されたかどうかを判断し（ステップＳ８）、３項目以上認識された場合、判定結果を馬番として確定する（ステップＳ９）。３項目以上認識されない場合には、ｎ位の馬番が確定できなかったとして、ＣＰＵ５０は、馬番にスペース情報を設定する（ステップＳ１０）。
【００４７】
次に、ＣＰＵ５０は、ｎ位の馬番を馬番データテーブル４５ａの該当する順位の欄に格納し（ステップＳ１１）、ｎが３以上かどうかを判断し（ステップＳ１２）、ｎが３未満の場合、ｎを１だけインクリメントし（ステップＳ１３）、ステップＳ３に戻る。
【００４８】
ステップＳ１２において、ｎが３以上の場合、３位までの判定が完了したので、ＣＰＵ５０は、馬番データテーブル４５ａに格納された１位から３位までの馬番データを表示部４８に送り、ライブ映像に重ねて表示する（ステップＳ１４）。このとき、馬番データは、表示部４８の通過順位表示領域４８ｂに表示される。なお、馬番が確定できなかった順位があったとき、その順位は、表示されない。
【００４９】
次に、ＣＰＵ５０は、たとえば、馬番データを表示部４８に表示してから所定時間以内に表示指示スイッチ４３が押下されたかどうかを監視する（ステップＳ１５）。ここで、表示指示スイッチ４３が押下されない場合、ＣＰＵ５０は、ｎに１を設定して（ステップＳ１６）、ステップＳ３に戻り、馬番を確定するための判定を最初からやり直す。
【００５０】
ステップＳ１５において、表示指示スイッチ４３が押下されたと判断された場合、ＣＰＵ５０は、馬番データテーブル４５ａに格納された１位から３位までの馬番データを通過順位操作卓３に送信する（ステップＳ１７）。このとき、送信された馬番データは、表示部４８にも送られ、着順表示盤５に表示されているデータとして表示部４８の通過順位表示領域４８ａに表示される。また、通過順位操作卓３は、送信された馬番データを着順制御装置２に転送し、着順制御装置２は、転送された馬番データを着順表示盤５に表示させる。
【００５１】
次に、ＣＰＵ５０は、画像認識スイッチ４４の押下を監視していて、たとえば、馬番データを通過順位操作卓３に送信してから所定時間以内に画像認識スイッチ４４の押下を検出して画像認識処理をエンドにするかどうかを判断する（ステップＳ１８）。画像認識スイッチ４４の押下が検出されない場合、ＣＰＵ５０は、ｎに１を設定して（ステップＳ１６）、ステップＳ３に戻り、馬番を確定するための判定を最初からやり直す。画像認識スイッチ４４の押下が検出された場合、ＣＰＵ５０は、馬番データテーブル４５ａに格納していた馬番データおよび表示部４８に表示していた馬番データをすべてクリアして（ステップＳ１９）、この処理を終了する。もちろん、このオールクリアの処理は、通過順位操作卓３を介して着順制御装置２にも同時に通知され、実行される。
【００５２】
以上の実施の形態では、表示部４８の通過順位表示領域４８ａ，４８ｂに着順表示盤５に出力されている通過順位および映像解析部４７が解析した結果の通過順位を単に表示しているが、通過順位が変更されたときには、強調表示するとよい。たとえば、映像解析部４７が解析した通過順位に変更が生じたとき、通過順位表示領域４８ｂに表示される馬番の数字をブリンクする、サイズを大きくする、目立つ色に変化させる、などの手法により強調表示することができる。
【００５３】
また、上述の実施の形態は、実施の形態の要旨を逸脱しない範囲内において種々の変更を加えることができる。
さらに、上述の実施の形態は、多数の変形、変更が当業者にとって可能であり、説明した正確な構成および応用例に限定されるものではない。
【符号の説明】
【００５４】
１  上位サーバ
２  着順制御装置
３  通過順位操作卓
４  通過順位確定支援装置
５  着順表示盤
５ａ〜５ｅ  表示領域
６  ターフビジョン
７  モニタ
７ａ〜７ｅ  表示領域
１１  データ記憶部
１２  画像認識用データテーブル
１３  勝負服認識用データテーブル
２１  データ送受信部
２２  画像出力部
３１  データ送受信部
３２  入力受付部
３３  表示出力部
３４  オールクリアボタン
３５  馬番入力部
３６  通過順位選択ボタン
３７  通過順位表示部
３８  ランプ部
４１  データ送受信部
４３  表示指示スイッチ
４４  画像認識スイッチ
４５  データ記憶部
４５ａ  馬番データテーブル
４６  撮像部
４７  映像解析部
４８  表示部
４８ａ，４８ｂ  通過順位表示領域
４９  プロセッサ
５０  ＣＰＵ
５１  メインメモリ
５２  フラッシュメモリ
５３  グラフィック処理装置
５４  入力インタフェース
５５  通信インタフェース
５６  バス
６０  双眼鏡
６１  筒状筐体
６２  対物レンズ
６３  接眼レンズ
【図１】
0005775840.tif 000002
【図２】
0005775840.tif 000003
【図３】
0005775840.tif 000004
【図４】
0005775840.tif 000005
【図５】
0005775840.tif 000006
【図６】
0005775840.tif 000007
【図７】
0005775840.tif 000008
【図８】
0005775840.tif 000009
【図９】
0005775840.tif 000010
【図１０】
0005775840.tif 000011
【図１１】
0005775840.tif 000012